(57)【要約】【課題】カップ麺容器の蓋シートを剥して、熱湯を注入。麺に熱湯が十分に浸透するまで蓋シートでカップ麺容器の蓋をして置きたいのだが、蓋シートが捲れ上がり、蓋ができないことが常である。蓋シートの捲れ上がり防止として、蓋シート上に重し用の小物を置くなど事前に重し用の小物を用意しなければならない煩わしさが付きまとった。【解決手段】蓋シートの押下部をカップ麺容器の底部に向け指で押下すると蓋シートの切込み片がカップ麺容器の切込みを突き抜ける。次に指の押下操作を解除すると、蓋シートの切込み片及びカップ麺容器の切込みが押下前の状態に戻ろうとするが蓋シートの切込み片がカップ麺容器の切込みに引っかかり蓋シートがカップ麺容器に止着して、永続的に蓋シートがカップ麺容器の蓋をする機能を提供する。【選択図】図３
2020055625.tif 000002
【特許請求の範囲】
【請求項１】
蓋シートの押下部（５）あたりをカップ麺容器の底部への押下方向（１１）に向けて指で強く押下すると、切込み径の大きい蓋シートの切込み片（１ｂ）が切込み径の小さいカップ麺容器の切込み（２ａ）を突き抜ける。次に指の押下を解除すると、蓋シートの切込み片（１ｂ）とカップ麺容器の切込み片（２ｂ）が元に戻ろうとする。切込み径の大きい蓋シートの切込み片（１ｂ）が切込み径の小さいカップ麺容器の切込み（２ａ）に引っかかり、カップ麺容器の切込み（２ａ）を通り貫けられず蓋シート（６）がカップ麺容器（７）に嵌合止着して、永続的に蓋シート（６）がカップ麺容器（７）の蓋をする機能を提供する。
【請求項２】
カップ麺容器の底部への押下方向（１１）に向け指を押下後、指の押下解除により、カップ麺容器の切込み片（２ｂ）も復元するが、カップ麺容器の切込み（２ａ）とカップ麺容器の切込み片（２ｂ）の間に蓋シートの切込み片（１ｂ）が挟んだように装着され、蓋シートの切込み片（１ｂ）がカップ麺容器（７）に止着する。結果として蓋シート（６）がカップ麺容器（７）に嵌合止着して、永続的に蓋シート（６）がカップ麺容器（７）の蓋をする機能を提供する。
【発明の詳細な説明】
【技術分野】蓋シートを（が）カップ麺容器に嵌合止着【０００１】    本発明はカップ麺容器の蓋シートを剥がして熱湯を注入後、指の押下で剥がした蓋シートをカップ麺容器に強制嵌合し、次に指の押下解除で剥がした蓋シートをカップ麺容器に止着させ、麺に熱湯が十分に浸透するまで永続的に蓋シートでカップ麺容器の蓋をする機能を有するものである。
【背景技術】
【０００２】    従来、カップ麺容器の蓋シートを剥がして熱湯を注入後、麺に熱湯が十分に浸透するまで蓋シートでカップ麺容器の蓋をして置きたいのだが、蓋シートが捲れ上がり蓋シートが開いてしまうことが常であった。蓋シートが開いた状態を放置すると、注入した熱湯の温度が下がり、カップ麺容器内の麺に熱湯が浸透し難くなる。【０００３】    従来、カップ麺容器の蓋シートを剥がして熱湯を注入後、蓋シートが開かないようにするため、下記方法等が行われている。
ａ）剥がした蓋シートの舌下片（８）でカップ麺容器の縁（９）を巻き込むように折り曲げる。
ｂ）剥がした蓋シートの押下部（５）近傍の蓋シート上に２０〜３０グラム程の重し用小物を置く。
ｃ）剥がした蓋シートの押下部（５）近傍の蓋シート上に市販品のカップメン人形等の重し用小物を置く。
ｄ）剥がした蓋シートの舌下片（８）近傍に市販品のカップメンクリップ等で蓋シートとカップ麺容器の縁（９）を共に摘んで留める。【０００４】    前記［０００３］ａ）の場合は、折り曲げた蓋シートの舌下片（８）が緩み、蓋シートが捲れ上がり、蓋シートが開いてしまう。
前記［０００３］ｂ）〜ｄ）の場合は、予め２０〜３０グラム程度の重し用小物又は予め市販品を用意しなければならない。
【先行技術文献】
【０００５】
【特許文献１】特開２００７−１３０４３２号広報
【特許文献２】特開２０１２−２１８７８１号広報
【特許文献３】特開２０１８−７０２６２号広報
【特許文献４】特開２００６−３２７６８７号広報
【発明の概要】
【発明が解決しようとする課題】
【０００６】    従来、カップ麺容器の蓋シートに記載された説明表記に従い、カップ麺容器の蓋シートを剥がして熱湯を注入後、麺に熱湯が十分に浸透するまで蓋シートでカップ麺容器の蓋をして置きたいのだが、蓋シートが捲れ上がり、蓋シートが開いてしまう欠点があった。【０００７】    蓋シートが開かないようにするため、剥がした蓋シートの舌下片（８）でカップ麺容器の縁（９）を巻き込むように折り曲げるが、蓋シートが熱湯の湯気で温められ、蓋シートが緩み捲れて蓋シートが開いてしまう。蓋シートが開かないようにするため、重し用の小物や市販品のカップメン人形又は市販品のカップメンクリップ等々の小物を用意しなければならない煩わしさが付きまとう。【０００８】    本発明は前記の問題点を解決するために考案されたものであり、指の押下及び押下後の指の押下解除で蓋シートがカップ麺容器に嵌合止着し、蓋シートが永続的にカップ麺容器の蓋をする機構を提供する。
【課題を解決するための手段】  蓋シートの押下部（５）あたりを指で押下すると切込み径の大きい蓋シートの切込み片（１ｂ）が切込み径の小さいカップ麺容器の切込み（２ａ）を突抜け、次に指の押下を解除すると蓋シートの切込み片（１ｂ）とカップ麺容器の切込み片（２ｂ）が共に押下前の状態に戻ろうとする。切込み径の大きい蓋シートの切込み片（１ｂ）が切込み径の小さいカップ麺容器の切込み（２ａ）に引っかかり、カップ麺容器の切込み（２ａ）を通り貫けられず止着する。結果として蓋シート（６）が永続的にカップ麺容器（７）の蓋をする。
【発明の効果】
【０００９】    蓋シートの切込み（１ａ）と蓋シートの切込み片（１ｂ）、カップ麺容器の切込み（２ａ）とカップ麺容器の切込み片（２ｂ）が設置され、押下部（５）あたりを指の押下及び指の押下解除のみで、永続的に蓋シート（６）がカップ麺容器（７）に嵌合止着する【００１０】    指の押下及び指の押下解除のみで永続的に蓋シート（６）とカップ麺容器（７）が嵌合止着するので、蓋シート（６）の開放防止のための蓋シートの舌下片（８）の折曲げや、重し用の小物やカップメン人形又はカップメンクリップ等々が不要となる。
【図面の簡単な説明】
【００１１】
【図１】  本発明に係わる実施形態のカップ麺容器及び蓋シートの全体斜視図である
【図２】  前記［図１］の拡大対象部分（１４）の拡大図である。
【図３】  前記［図１］の拡大対象部分（１４）のＡ−Ａ断面の拡大図である。
【発明を実施するための形態】
【００１２】    蓋シート（６）に湾曲した曲線弧又は変形角型の蓋シートの切込み（１ａ）を設ける。蓋シートの切込み（１ａ）は、カッター等の刃物で切込みを作る。
【００１３】    蓋シート（６）に蓋シートの切込み（１ａ）と蓋シートの切込み片（１ｂ）が具備され、蓋シートの切込み（１ａ）は、蓋シートの切込み止Ａ（３ａ）から反時計方向周りで蓋シートの切込み止Ｂ（３ｂ）までとする。
【００１４】    蓋シートの切込み止Ａ（３ａ）から右回りの蓋シートの切込み止Ｂ（３ｂ）までを湾曲した曲線弧又は変形角型の残分とする。当該の残分は切込みを作らずに残し、蓋シート（６）と繋がったままで蓋シート（６）と一体構造になる。
【００１５】    蓋シートの切込み（１ａ）の直下のカップ麺容器（７）に、カップ麺容器の縁（９）方向に数ｍｍ程ずらした位置のカップ麺容器（７）に蓋シートの切込み（１ａ）より径が小さい湾曲した曲線弧又は変形角型のカップ麺容器の切込み（２ａ）を具備する。
【００１６】    カップ麺容器の切込み（２ａ）はカッター等の刃物で切込みを作り、カップ麺容器の切込み（２ａ）は、カップ麺容器の切込み止Ｃ（４ａ）から反時計方向周りでカップ麺容器の切込み止Ｄ（４ｂ）までとする。
【００１７】    蓋シートの切込み止Ａ（３ａ）の直下近傍にカップ麺容器の切込み止Ｃ（４ａ）、蓋シートの切込み止Ｂ（３ｂ）の直下近傍にカップ麺容器の切込み止Ｄ（４ｂ）を具備する事が望ましい。
【００１８】    蓋シート（６）がカップ麺容器（７）に嵌合と止着するための形態が具備された。
【００１９】    蓋シートの切込み片（１ｂ）がカップ麺容器の切込み（２ａ）を突き抜けるように、蓋シートの押下部（５）をカップ麺容器の底部への押下方向（１１）に向けて指先で強く押下すと、蓋シートの切込み片（１ｂ）がカップ麺容器の切込み（２ａ）を突き抜ける。
【００２０】    カップ麺容器の底部への押下方向（１１）に向けて押下した指をカップ麺容器の底部への押下方向（１１）と反対方向へ引き戻すと、蓋シートの切込み片（１ｂ）およびカップ麺容器の切込み片（２ｂ）が、指で押下する前の状態に戻ろうとする。
【００２１】    前記の復元過程で、切込み径の大きい蓋シートの切込み片（１ｂ）が切込み径の小さいカップ麺容器の切込み（２ａ）を通り貫けられず、蓋シートの切込み片（１ｂ）がカップ麺容器の切込み（２ａ）に引っかかり止まる。
【００２２】    カップ麺容器の切込み片（２ｂ）も指の押下前の状態に戻ろうとするが、カップ麺容器の切込み（２ａ）とカップ麺容器の切込み片（２ｂ）の間に蓋シートの切込み片（１ｂ）が挟まれたように装着され、蓋シートの切込み片（１ｂ）がカップ麺容器の切込み（２ａ）に引っかかったまま止着し、蓋シート（６）が永続的にカップ麺容器（７）の蓋をする。
【符号の説明】
【００２３】１ａ    蓋シートの切込み
１ｂ    蓋シートの切込み片
２ａ    カップ麺容器の切込み
２ｂ    カップ麺容器の切込み片
３ａ    蓋シートの切込み止Ａ
３ｂ    蓋シートの切込み止Ｂ
４ａ    カップ麺容器の切込み止Ｃ
４ｂ    カップ麺容器の切込み止Ｄ
５      押下部
６      蓋シート
７      カップ麺容器
８      蓋シートの舌下片
９      カップ面容器の縁
１０    蓋シートの舌下片を折曲げる
１１    カップ麺容器の底部への押下方向
１２    麺
１３    熱湯
１４    拡大対象部分
【図１】
2020055625.tif 000003
【図２】
2020055625.tif 000004
【図３】
2020055625.tif 000005
【手続補正書】
【提出日】平成31年1月22日(2019.1.22)
【手続補正２】
【補正対象書類名】特許請求の範囲
【補正対象項目名】全文
【補正方法】変更
【補正の内容】
【特許請求の範囲】
【請求項１】
蓋シートの押下部（５）付近をカップ麺容器の底部への押下方向（１１）に向けて指で押下すると、切込み径の大きい蓋シートの切込み片（１ｂ）が切込み径の小さいカップ麺容器の切込み（２ａ）を突き抜ける。次に指の押下を解除すると、蓋シートの切込み片（１ｂ）とカップ麺容器の切込み片（２ｂ）が元に戻ろうとし、切込み径の大きい蓋シートの切込み片（１ｂ）が切込み径の小さいカップ麺容器の切込み（２ａ）に引っかかり、カップ麺容器の切込み（２ａ）を通り貫けられず蓋シート（６）がカップ麺容器（７）に嵌合止着して、蓋シート（６）がカップ麺容器（７）の蓋をする方法。